(57)【特許請求の範囲】
【請求項１】
試料の電気的データを取得するバイオセンサを複数配列形成してなるバイオセンサシートであって、
該バイオセンサの試料点着部から電極部付近までの基底は、Ｕ字型の切り欠きを持ち、舌片となって、前記基底バイオセンサシートに対し折上げもしくは折下げ可能である、
ことを特徴とするバイオセンサシート。
【請求項２】
請求項１に記載のバイオセンサシートにおいて、
前記複数個のバイオセンサが形成された基底バイオセンサシートの形状はテープ状である、
ことを特徴とするバイオセンサシート。
【請求項３】
請求項２に記載のバイオセンサシートを収納するバイオセンサカートリッジであって、
筐体内に、前記バイオセンサシートが収納され、
当該筐体がバイオセンサ分与装置に装填され、
目的の試料測定を行う際、該バイオセンサ分与装置の操作により、各バイオセンサの分与，測定が可能となる、
ことを特徴とするバイオセンサカートリッジ。
【請求項４】
請求項３に記載のバイオセンサカートリッジにおいて、
使用前の前記バイオセンサシートが巻き付けられ該バイオセンサシートに形成された各バイオセンサを測定時に順次供給するためのバイオセンサ供給ローラと、
前記バイオセンサシートを巻き取り使用済みの各バイオセンサを順次回収するための巻取りローラと、
前記バイオセンサ供給ローラを収容するバイオセンサ供給室と、
前記巻取りローラを収容するバイオセンサ回収室と、を備えた、
ことを特徴とするバイオセンサカートリッジ。
【請求項５】
請求項４に記載のバイオセンサカートリッジにおいて、
前記バイオセンサ供給室は、乾燥剤が内蔵されている、
ことを特徴とするバイオセンサカートリッジ。
【請求項６】
請求項４に記載のバイオセンサカートリッジにおいて、
前記バイオセンサ供給室は、外気との連通を抑えるための封止部材を備えた、
ことを特徴とするバイオセンサカートリッジ。
【請求項７】
請求項６に記載のバイオセンサカートリッジにおいて、
前記封止部材は、封止ローラである、
ことを特徴とするバイオセンサカートリッジ。
【請求項８】
請求項６に記載のバイオセンサカートリッジにおいて、
前記封止部材は、封止ブレードである、
ことを特徴とするバイオセンサカートリッジ。
【請求項９】
請求項４に記載のバイオセンサカートリッジにおいて、
前記バイオセンサ回収室は、使用済みのバイオセンサに付着している試料溶液を拭き取る吸収ローラを備えた、
ことを特徴とするバイオセンサカートリッジ。
【請求項１０】
請求項３に記載のバイオセンサカートリッジにおいて、
前記バイオセンサシートは、その長手方向に搬送される、
ことを特徴とするバイオセンサカートリッジ。
【請求項１１】
請求項３に記載のバイオセンサカートリッジにおいて、
前記筐体内で、前記各バイオセンサの先端部がバイオセンサの送り方向に対して全て上流側を向くように配設した、
ことを特徴とするバイオセンサカートリッジ。
【請求項１２】
請求項３に記載のバイオセンサカートリッジにおいて、
前記筐体の一部に窓を設け、
前記テープ状に配列されたバイオセンサの先端部のセンサ測定部を当該窓から該バイオセンサカートリッジの外側へ突出させることを可能とする、
ことを特徴とするバイオセンサカートリッジ。
【請求項１３】
請求項３に記載のバイオセンサカートリッジにおいて、
前記バイオセンサシートの各バイオセンサのセンサ測定部を当該バイオセンサカートリッジの外側へ突出させるためのスライド部材を備えた、
ことを特徴とするバイオセンサカートリッジ。
【請求項１４】
請求項１２に記載のバイオセンサカートリッジにおいて、
前記窓に、開閉蓋を設けた、
ことを特徴とするバイオセンサカートリッジ。
【請求項１５】
請求項３に記載のバイオセンサカートリッジにおいて、
前記バイオセンサ分与装置と係合するためのラッチを設けた、
ことを特徴とするバイオセンサカートリッジ。
【請求項１６】
請求項４に記載のバイオセンサカートリッジにおいて、
前記バイオセンサ供給ローラと、前記巻取りローラとは、それぞれの回転軸に対して滑りクラッチをもつ、
ことを特徴とするバイオセンサカートリッジ。
【請求項１７】
請求項３に記載のバイオセンサカートリッジにおいて、
前記バイオセンサ分与装置の電極アームを導入する電極アーム導入窓を設けた、
ことを特徴とするバイオセンサカートリッジ。
【請求項１８】
請求項３に記載のバイオセンサカートリッジを測定位置にセットし、各バイオセンサを分与して目的の溶液成分測定を複数回連続的に行える、バイオセンサ分与装置であって、
前記バイオセンサカートリッジ内のバイオセンサシートを搬送するバイオセンサ搬送手段と、
前記バイオセンサシートのバイオセンサの測定部を各測定部毎に搬送経路上から所定の測定位置に搬出する搬出手段と、
前記バイオセンサの電極部と接続される電極接点を有する電極アームと、を備え、
前記搬送手段により長手方向へ順送されたバイオセンサの各測定部は、前記搬出手段により所定の測定位置に搬出された状態で、試料の点着を行い、各測定部毎にその電極部と前記電極アームの電極接点とを接続させることにより、各バイオセンサからの電気的データを得るようにした、
ことを特徴とするバイオセンサ分与装置。
【請求項１９】
請求項１８に記載のバイオセンサ分与装置において、
前記バイオセンサ搬送手段は、手動のダイアルである、
ことを特徴とするバイオセンサ分与装置。
【請求項２０】
請求項１８に記載のバイオセンサ分与装置において、
前記バイオセンサ搬送手段は、該バイオセンサ分与装置の本体の一側面に配置した、
ことを特徴とするバイオセンサ分与装置。
【請求項２１】
請求項１８に記載のバイオセンサ分与装置において、
前記バイオセンサカートリッジが装填されるための凹部を備えた、
ことを特徴とするバイオセンサ分与装置。
【請求項２２】
請求項１８に記載のバイオセンサ分与装置において、
前記バイオセンサカートリッジと係合するためのラッチを備えた、
ことを特徴とするバイオセンサ分与装置。
【請求項２３】
請求項１８に記載のバイオセンサ分与装置において、
前記搬出手段は、前記バイオセンサカートリッジのスライド部材をスライドさせる突出駆動部材である、
ことを特徴とするバイオセンサ分与装置。
【請求項２４】
請求項１８に記載のバイオセンサ分与装置において、
前記バイオセンサカートリッジの供給ローラおよび回収ローラをそれぞれ駆動する駆動ローラを備えた、
ことを特徴とするバイオセンサ分与装置。
【請求項２５】
請求項１８に記載のバイオセンサ分与装置において、
前記バイオセンサの測定結果の表示を行う表示部を備えた、
ことを特徴とするバイオセンサ分与装置。
【請求項２６】
請求項１８に記載のバイオセンサ分与装置において、
該バイオセンサ分与装置の制御を行い、または、該バイオセンサ分与装置に情報を入力するための入力手段を備えた、
ことを特徴とするバイオセンサ分与装置。
【請求項２７】
請求項１８に記載のバイオセンサ分与装置において、
該バイオセンサ分与装置に蓄積された情報を外部に出力するための出力手段を備えた、
ことを特徴とするバイオセンサ分与装置。
【発明の詳細な説明】
【０００１】
【発明の属する技術分野】
本発明は、種々の生体試料中の特定成分を高精度で、迅速かつ容易に定量することのできるバイオセンサ、そのバイオセンサが複数配列形成されたバイオセンサシート、そのバイオセンサシートを収納したバイオセンサカートリッジ、及び、そのバイオセンサカートリッジを装填し、容易な操作で複数回の測定が可能なバイオセンサ分与装置、に関するものである。
【０００２】
【従来の技術】
近年、酵素の有する特異的触媒作用を利用した種々のバイオセンサが開発され、臨床分野への応用が試みられるなかで、迅速にかつ精度よく測定できるバイオセンサが実用化されている。
【０００３】
グルコースセンサを例にとると、糖尿病患者数の増加が著しい今日、血糖値を測定し管理するには、従来のように血液を遠心分離して血しょうを測定するのでは非常に煩雑な手順を要するため全血で測定できるセンサが要望され、これに応えるものとして、特開昭６１−２９４３５１号公報に記載のバイオセンサが既に提案されている。このバイオセンサは、専用測定器より、センサの電極系へ所定の電圧を供給して電極間に流れる電流値を計測し、この信号をもとに試料液中の基質濃度を計算し、その値を測定器の表示部に示すものである。
【０００４】
一方、バイオセンサ及び測定器の形態についても、例えば特開平８−２６２０２６号公報に記載されているように、バイオセンサを複数個セットしたバイオセンサカートリッジを用い、測定器に装填しノブ操作を行う事により、複数回の測定が行えるバイオセンサ分与装置が既に開発されており、これにより、高齢者の多い糖尿病患者等の使用者にとって、誤操作を起こしやすく、測定使用の際に煩雑と感じる面が改善されてきている。
【０００５】
これは、例えば、センサを測定器本体の取り付け口に取り付ける際に、センサをうまく取り付け口に取り付けられず、そのままセンサを落としたり、センサを逆方向に挿入したり、さらには逆方向に挿入したままで計測してしまうなどの、取り扱い上の誤操作に対する対策を施したものであり、簡単な操作で確実な測定を行えるものとなっている。
【０００６】
図４および図５は、上記従来のバイオセンサパックを用いたバイオセンサ分与装置の構成を示す模式図である。
図において、バイオセンサ４６は、概略円形のセンサパック１２０の中心部を基準として放射線状に複数個収納されている。センサパック１２０は、乾燥剤材料１１２がその中に配置される乾燥剤キャビティーと、個々のセンサを保持するセンサ保持キャビティーとを有し、この乾燥剤キャビティーとセンサ保持キャビティーとは流体連絡、即ち、キャビティー同士が連通するように構成されている。
【０００７】
バイオセンサ分与装置３０は、バイオセンサパック１２０を受け入れるのに適した形状を有するものであり、該分与装置は、上部ケース３５及び下部ケース３６を有し、該上部ケースと下部ケースとが、これらの嵌合部分を軸として二枚貝の殻のように互いに相対的に回動することで開閉し、かつ、バイオセンサパックをその中で用いるように配置することができる外側ハウジングを有する。ハウジング内にそのように配置されたバイオセンサパックによって、ハウジングの上部ケース上に配置された滑動アクチュエータ４０上の滑動ラッチ５８が、表示／データ処理モード又は試験モードへの装置の設定を制御する。
【０００８】
バイオセンサ分与装置３０は、滑動ラッチをその表示モード位置、すなわち滑動アクチュエータ上の側位、へと移動することによって、表示モードに設定される。即ち、滑動アクチュエータを、装置ハウジングの後部付近のその待機位置から装置ハウジングの前端へと押すと、装置の使用者は、上部ケース内のディスプレイユニットに表示されるデータを視認したり、上部ケースの後部の手動ボタンを介して分与装置にデータを入力したりすることができる。一方、滑動ラッチがその試験位置にあり、滑動アクチュエータを、その待機位置から装置ハウジングの前端付近の試験位置へと押したとき、バイオセンサ分与装置３０は試験モードになる。即ち、滑動アクチュエータをその起動された位置、又は試験用の位置へと押した際は、センサは、センサキャビティーの一つから放出されるため、その試験位置に置かれて、センサの試験端が、ハウジングの試験端から突出し、センサ上の接点が、外側ハウジングの上部の二枚貝状のシェル内に配置されたプリント配線基板のマイクロプロセッサ又は他のデータ処理回路の少なくとも一方に結合される。その結果、センサを試験しようとする血液に挿入したとき、センサから得られるデータを処理することができる。次いで、処理されたデータは、装置の上部ケース内のスクリーンに表示するか、又はその後、データポートコネクタを介して他の分析用機器に供給するために蓄えることができる。
【０００９】
血液分析試験を完了したならば、滑動アクチュエータを、装置ハウジングの後部に向けて反対方向に、その待機位置へと移動させる。滑動アクチュエータをその試験位置から元に戻すにつれて、センサが分与装置から取り外され、バイオセンサパックを前進（回転）させる結果、もう一つのセンサが、バイオセンサパックから放出され、このセンサを次回に実施しようとする血中グルコース試験に用いることができる。
【００１０】
【発明が解決しようとする課題】
従来のバイオセンサ分与装置は以上のように構成されており、複数のバイオセンサが適度の大きさを持つ概略円形のバイオセンサパックに予め搭載されており、分与装置が二枚貝状の形状となっているため、これを開けるだけでセンサパックを容易に装着でき、かつ、いったん分与装置内にセットした後は、ケースの外からバイオセンサパックを操作でき、個々のセンサを容易に取り出すことができ、しかもバイオセンサ分与装置自体が測定装置でもあるため、個々のセンサの分与と測定とをあわせて行うことができ、高齢者等でも扱いやすく、誤操作等を殆ど招くことなく測定を行うことができる。
【００１１】
しかしながら、上記従来のバイオセンサ分与装置においては、測定終了毎にバイオセンサを、血液などの生体試料が付着した剥き出しのままで廃棄しなければならないという衛生上の問題があり、また測定を行うたびごとに廃棄操作を行わなければならないため、使用者にとって非常に煩雑であるという問題も生じていた。
【００１２】
本発明は、上記の問題点を解決するためになされたもので、分与装置のレバーやダイヤル操作などによる簡易な手動操作のみで、バイオセンサカートリッジ内のバイオセンサを送出し測定位置にセットでき、測定終了後のセンサ回収も連続的にバイオセンサカートリッジ内に行うことができ、複数回の生体値測定を簡便容易に行う事が出来る、扱いやすさが一層向上したバイオセンサ、バイオセンサシート、バイオセンサカートリッジ、及びバイオセンサ分与装置を提供することを目的とする。
【００１３】
【課題を解決するための手段】
前記課題を解決するために、本発明の請求項１に記載のバイオセンサシートは、試料の電気的データを取得するバイオセンサを複数配列形成してなるバイオセンサシートであって、該バイオセンサの試料点着部から電極部付近までの基底は、Ｕ字型の切り欠きを持ち、舌片となって、前記基底バイオセンサシートに対し折上げもしくは折下げ可能である、ことを特徴とするものである。
【００１４】
また、本発明の請求項２に記載のバイオセンサシートは、請求項１に記載のバイオセンサシートにおいて、前記複数個のバイオセンサが形成された基底バイオセンサシートの形状はテープ状である、ことを特徴とするものである。
【００１５】
また、本発明の請求項３に記載のバイオセンサカートリッジは、請求項２に記載のバイオセンサシートを収納するバイオセンサカートリッジであって、筐体内に、前記バイオセンサシートが収納され、当該筐体がバイオセンサ分与装置に装填され、目的の試料測定を行う際、該バイオセンサ分与装置の操作により、各バイオセンサの分与，測定が可能となる、ことを特徴とするものである。
【００１６】
また、本発明の請求項４に記載のバイオセンサカートリッジは、請求項３に記載のバイオセンサカートリッジにおいて、使用前の前記バイオセンサシートが巻き付けられ該バイオセンサシートに形成された各バイオセンサを測定時に順次供給するためのバイオセンサ供給ローラと、前記バイオセンサシートを巻き取り使用済みの各バイオセンサを順次回収するための巻取りローラと、前記バイオセンサ供給ローラを収容するバイオセンサ供給室と、前記巻取りローラを収容するバイオセンサ回収室と、を備えた、ことを特徴とするものである。
【００１７】
また、本発明の請求項５に記載のバイオセンサカートリッジは、請求項４に記載のバイオセンサカートリッジにおいて、前記バイオセンサ供給室は、乾燥剤が内蔵されている、ことを特徴とするものである。
【００１８】
また、本発明の請求項６に記載のバイオセンサカートリッジは、請求項４に記載のバイオセンサカートリッジにおいて、前記バイオセンサ供給室は、外気との連通を抑えるための封止部材を備えた、ことを特徴とするものである。
【００１９】
また、本発明の請求項７に記載のバイオセンサカートリッジは、請求項６に記載のバイオセンサカートリッジにおいて、前記封止部材は、封止ローラである、ことを特徴とするものである。
【００２０】
また、本発明の請求項８に記載のバイオセンサカートリッジは、請求項６に記載のバイオセンサカートリッジにおいて、前記封止部材は、封止ブレードである、ことを特徴とするものである。
【００２１】
また、本発明の請求項９に記載のバイオセンサカートリッジは、請求項４に記載のバイオセンサカートリッジにおいて、前記バイオセンサ回収室は、使用済みのバイオセンサに付着している試料溶液を拭き取る吸収ローラを備えた、ことを特徴とするものである。
【００２２】
また、本発明の請求項１０に記載のバイオセンサカートリッジは、請求項３に記載のバイオセンサカートリッジにおいて、前記バイオセンサシートは、その長手方向に搬送される、ことを特徴とするものである。
【００２３】
また、本発明の請求項１１に記載のバイオセンサカートリッジは、請求項３に記載のバイオセンサカートリッジにおいて、前記筐体内で、前記各バイオセンサの先端部がバイオセンサの送り方向に対して全て上流側を向くように配設した、ことを特徴とするものである。
【００２４】
また、本発明の請求項１２に記載のバイオセンサカートリッジは、請求項３に記載のバイオセンサカートリッジにおいて、前記筐体の一部に窓を設け、前記テープ状に配列されたバイオセンサの先端部のセンサ測定部を当該窓から該バイオセンサカートリッジの外側へ突出させることを可能とする、ことを特徴とするものである。
【００２５】
また、本発明の請求項１３に記載のバイオセンサカートリッジは、請求項３に記載のバイオセンサカートリッジにおいて、前記バイオセンサシートの各バイオセンサのセンサ測定部を当該バイオセンサカートリッジの外側へ突出させるためのスライド部材を備えた、ことを特徴とするものである。
【００２６】
また、本発明の請求項１４に記載のバイオセンサカートリッジは、請求項１２に記載のバイオセンサカートリッジにおいて、前記窓に、開閉蓋を設けた、ことを特徴とするものである。
【００２７】
また、本発明の請求項１５に記載のバイオセンサカートリッジは、請求項３に記載のバイオセンサカートリッジにおいて、前記バイオセンサ分与装置と係合するためのラッチを設けた、ことを特徴とするものである。
【００２８】
また、本発明の請求項１６に記載のバイオセンサカートリッジは、請求項４に記載のバイオセンサカートリッジにおいて、前記バイオセンサ供給ローラと、前記巻取りローラとは、それぞれの回転軸に対して滑りクラッチをもつ、ことを特徴とするものである。
【００２９】
また、本発明の請求項１７に記載のバイオセンサカートリッジは、請求項３に記載のバイオセンサカートリッジにおいて、前記バイオセンサ分与装置の電極アームを導入する電極アーム導入窓を設けた、ことを特徴とするものである。
【００３０】
また、本発明の請求項１８に記載のバイオセンサ分与装置は、請求項３に記載のバイオセンサカートリッジを測定位置にセットし、各バイオセンサを分与して目的の溶液成分測定を複数回連続的に行える、バイオセンサ分与装置であって、前記バイオセンサカートリッジ内のバイオセンサシートを搬送するバイオセンサ搬送手段と、前記バイオセンサシートのバイオセンサの測定部を各測定部毎に搬送経路上から所定の測定位置に搬出する搬出手段と、前記バイオセンサの電極部と接続される電極接点を有する電極アームと、を備え、前記搬送手段により長手方向へ順送されたバイオセンサの各測定部は、前記搬出手段により所定の測定位置に搬出された状態で、試料の点着を行い、各測定部毎にその電極部と前記電極アームの電極接点とを接続させることにより、各バイオセンサからの電気的データを得るようにした、ことを特徴とするものである。
【００３１】
また、本発明の請求項１９に記載のバイオセンサ分与装置は、請求項１８に記載のバイオセンサ分与装置において、前記バイオセンサ搬送手段は、手動のダイアルである、ことを特徴とするものである。
【００３２】
また、本発明の請求項２０に記載のバイオセンサ分与装置は、請求項１８に記載のバイオセンサ分与装置において、前記バイオセンサ搬送手段は、該バイオセンサ分与装置の本体の一側面に配置した、ことを特徴とするものである。
【００３３】
また、本発明の請求項２１に記載のバイオセンサ分与装置は、請求項１８に記載のバイオセンサ分与装置において、前記バイオセンサカートリッジが装填されるための凹部を備えた、ことを特徴とするものである。
【００３４】
また、本発明の請求項２２に記載のバイオセンサ分与装置は、請求項１８に記載のバイオセンサ分与装置において、前記バイオセンサカートリッジと係合するためのラッチを備えた、ことを特徴とするものである。
【００３５】
また、本発明の請求項２３に記載のバイオセンサ分与装置は、請求項１８に記載のバイオセンサ分与装置において、前記搬出手段は、前記バイオセンサカートリッジのスライド部材をスライドさせる突出駆動部材である、ことを特徴とするものである。
【００３６】
また、本発明の請求項２４に記載のバイオセンサ分与装置は、請求項１８に記載のバイオセンサ分与装置において、前記バイオセンサカートリッジの供給ローラおよび回収ローラをそれぞれ駆動する駆動ローラを備えた、ことを特徴とするものである。
【００３７】
また、本発明の請求項２５に記載のバイオセンサ分与装置は、請求項１８に記載のバイオセンサ分与装置において、前記バイオセンサの測定結果の表示を行う表示部を備えた、ことを特徴とするものである。
【００３８】
また、本発明の請求項２６に記載のバイオセンサ分与装置は、請求項１８に記載のバイオセンサ分与装置において、該バイオセンサ分与装置の制御を行い、または、該バイオセンサ分与装置に情報を入力するための入力手段を備えた、ことを特徴とするものである。
【００３９】
また、本発明の請求項２７に記載のバイオセンサ分与装置は、請求項１８に記載のバイオセンサ分与装置において、該バイオセンサ分与装置に蓄積された情報を外部に出力するための出力手段を備えた、ことを特徴とするものである。
【００４１】
【発明の実施の形態】
（実施の形態１）
以下、本発明の実施の形態１によるバイオセンサシート、バイオセンサカートリッジ、バイオセンサ分与装置、及びバイオセンサを、図１、図２、図３、図６を参照しながら説明する。
【００４２】
なお、ここで示す実施の形態はあくまでも一例であって、本発明は必ずしもこの実施の形態に限られるものではない。同様に、以下の説明において、血中グルコースの測定を例に挙げて説明を行うが、本発明はグルコースの測定に限られるものではない。
【００４３】
まず、本実施の形態１によるバイオセンサの構成について説明する。
図３（ａ）は本実施の形態１による、テープ状の形態を呈するバイオセンサ群における、一個のバイオセンサの外観斜視図、図３（ｂ）は上記バイオセンサの断面模式図、図３（ｃ）は上記バイオセンサの電極接点部とバイオセンサ分与装置の電極アームの接点部との相対的な位置関係を示す模式図である。
【００４４】
上記バイオセンサ４６は、それ自身の基本構成となるポリエチレンテレフタレート（ＰＥＴ）などのテープ状の樹脂シート（バイオセンサシート６１、基底バイオセンサシート）を、そのベースとして形成され、バイオセンサがその長手方向に沿って複数配列され、個々のバイオセンサは、試料点着部１００と、酵素反応部６０と、センサ基底部５６と、センサ電極部１０９と、電極パターン部６３とを有する。
【００４５】
また、試料測定の時に、上記バイオセンサの、試料点着部１００と、酵素反応部６０などを有する測定部を、収納用のバイオセンサカートリッジの外へ突出させるため、バイオセンサ４６の酵素を含んだ点着部１００からセンサ電極部１０９との間の基底部分５６は、センサ電極部１０９近傍の樹脂シート領域においてのみ周辺の樹脂シートと接合されている。この部分的な接合を可能にするように、該バイオセンサの測定部の外周側に沿ってＵ字型となるようにバイオセンサシート６１が切断されている。従って、バイオセンサ４６はその外周部が概略的にＵ字型の切り欠き５５を持ちながら、電極部の周辺においてのみ樹脂シートと接続しているため、この舌片となったバイオセンサ先端のセンサ測定部は折り上げもしくは折り下げが可能であり、かつ樹脂シートから分離脱落することなく、バイオセンサシート６１が順送されるに従って、バイオセンサカートリッジの突出し窓１１９へ向かって前進することができる。
【００４６】
なお、図３（ｃ）に示すように、センサ電極部１０９はバイオセンサシート６１上の表面側に形成され、バイオセンサの試料点着部１００と電極部１０９とのサイズや位置関係は、試料の点着によりバイオセンサ分与装置３０の電極アーム１１７及びその接点部９６を汚さないように、電極部１０９において両電極の間隔の寸法ｂは、試料点着部１００の寸法ａより大きく、さらに、前記寸法ｂは電極アーム１１７の両接点部９６の間隔の寸法ｃとほぼ等しくなるように設定する。
縦列に長手方向に配列しテープ状の形態を呈するように繋がった上記バイオセンサは、ローラに巻かれて、カートリッジ内に収納される。
【００４７】
次に、上記テープ状のバイオセンサを収納するバイオセンサカートリッジの構成について説明する。
図２（ａ）は、本発明の実施の形態１によるバイオセンサカートリッジの断面図である。
図２（ｂ）は、本発明の実施の形態１によるバイオセンサカートリッジからバイオセンサの測定部が突出した状態の断面図である。
【００４８】
図２に示したように、バイオセンサカートリッジ３８は、電極アーム１１７の導入窓１２３を持つカートリッジケース（筐体）１１０、センサ供給ローラ１０３、センサ回収ローラ１１５、乾燥剤１１２などで構成される。センサ供給ローラ１０３からはバイオセンサ４６が順次送出されるために、バイオセンサ４６へ体液などの試料を付与するなどの所定の測定操作を可能とする。
【００４９】
図１には、本発明の実施の形態１による、バイオセンサの測定部を突き出したバイオセンサカートリッジ３８の斜視図を示している。それによれば、上記バイオセンサカートリッジ３８はカートリッジケース１１０と、試験端４４と、バイオセンサ分与装置と嵌合するためのラッチ凹部９７を持つことが分かる。
【００５０】
図２（ａ）に示すように、上記バイオセンサカートリッジ３８は、バイオセンサテープ１１４と、センサ供給室（バイオセンサ供給室）９８と、センサ回収室（バイオセンサ回収室）１０２と、バイオセンサの突き出しピン（スライド部材）４８と、その付勢手段１２２と、バイオセンサ突き出し窓（窓）１１９と、該窓１１９に設けた開閉蓋１２１と、電極アーム導入窓１２３と、を有する。センサ供給室９８には、センサ供給ローラ（バイオセンサ供給ローラ）１０３と、外気との隔離のための封止ローラ（封止部材）１１８及び封止ブレード（封止部材）１１６と、センサ供給室９８内を乾燥状態に保つための乾燥剤１１２とを備え、センサ回収室１０２には、センサ回収ローラ（巻き取りローラ）１１５と、使用済みバイオセンサの測定部に付着した試料を吸収する吸収ローラ１１１とを設けている。
【００５１】
ただし、バイオセンサ４６を送り出すセンサ供給ローラ１０３と、使用済みのセンサ部を巻き取るためのセンサ回収ローラ１１５とが連動して回転運動を行うため、それぞれのローラに巻かれたバイオセンサ４６の巻き径が変化することになる。バイオセンサ４６を順送するための駆動力をセンサ回収ローラ１１５に与えると、センサ供給ローラ１０３とセンサ回収ローラ１１５とはバイオセンサ４６の巻き取り力につられて従動する。このセンサ供給ローラ１０３とセンサ回収ローラ１１５とは、その回転軸に対して巻き取りローラ部が滑りクラッチ（図示せず）を持ち、滑り対偶(Sliding Pair)となるように構成されており、これにより、巻き取り時のバイオセンサの使用量によって、バイオセンサの巻き径が変化することによるバイオセンサの送り量の変化を吸収するようにしている。
【００５２】
また、前述したように、バイオセンサカートリッジ３８のセンサ供給室９８においては、個々のバイオセンサ４６は、外気と連通することなく乾燥状態に保たれるように、封止ローラ１１８や封止ブレード１１６などの封止手段によって隔離されて密閉されている。その結果、個々のバイオセンサ４６の測定動作時に起こるバイオセンサ４６の大気への開放動作は、バイオセンサ供給室９８に装填されている未使用のバイオセンサ４６の乾燥状態には影響しないことになる。
【００５３】
また、封止ローラ１１８や封止ブレード１１６などの封止手段を通過したバイオセンサ４６は、順次送られる時に各部材にバイオセンサ４６の先端部（点着部１００など）が引っかからないようにするため、センサの基底部分５６は、図３（ａ）に示したように、Ｕ字型に形成された切り欠き部５５の点着部１００側が、バイオセンサ４６の送り側に対して上流側となるように配設される。
【００５４】
このバイオセンサ４６が、長手方向に搬送され、バイオセンサ突出し窓１１９の直下に送られると、バイオセンサ４６のセンサ電極部１０９と電極アーム１１９の接点部９６とは電気的に接続した状態となる。この位置において、図２（ｂ）に示すように、突出しピン（スライド部材）４８をその軸方向へスライド動作させるための、バイオセンサ分与装置３０側に配設された突出しピン駆動部材４７を操作することにより、バイオセンサ４６の基底部分５６を押し上げることになる。これにより、バイオセンサ４６の点着部１００が、バイオセンサカートリッジ３８の内部から突き出すことになり、カートリッジ３８の開閉蓋１２１をくぐって止まり、血液などの生体試料を点着する準備が完了することになる。
【００５５】
次に、本発明の実施の形態１によるバイオセンサ分与装置の構成について説明する。
図１は、本発明の実施の形態１による、バイオセンサ分与装置の外観斜視図を示している。
【００５６】
図1において、３０は本実施の形態１におけるバイオセンサ分与装置である。３４はその本体ケースであり、本体ケース３４は、前端（試験端）４４と、後端４２と、作動アクチュエータ（バイオセンサ搬送手段、手動のダイアル）４０を有する側面と、測定結果等を表示する表示画面（表示部）５２と、バイオセンサカートリッジ３８を嵌合させる凹部５９と、バイオセンサカートリッジ３８を凹部５９に固定するためのラッチ５８と、バイオセンサカートリッジ３８の突き出しピン４８を突出するための突き出しピン駆動部材（搬出手段、突出駆動部材）４７などを有する。
【００５７】
また、前記凹部５９には、前記バイオセンサカートリッジの供給ローラ及び回収ローラをそれぞれ駆動する駆動ローラ１０５ａ及び駆動ローラ１０５ｂと、２つの接点部９６を有する電極アーム１１７と、が設けられている。
【００５８】
バイオセンサカートリッジ３８を前記凹部５９内に配置したならば、本体ケース３４の側面部にある作動アクチュエータ４０を、バイオセンサカートリッジ３８に隣接する配置位置（本体の一側面）において、本体ケース３４の前端側又は試験端４４側に作動又は回動することができる。但し、作動アクチュエータ４０の回動が有効になるのは試験端４４側（右回り）のみであり、作動アクチュエータ４０を本体ケース３４の前端側（左回り）に回動したとしても、バイオセンサカートリッジのセンサ供給ローラ１０３とセンサ回収ローラ１１５とは滑りクラッチによりこの方向には回転せず、回収ローラ側に順送されるべきセンサバイオセンサが供給ローラ側に逆送されることはない。
【００５９】
図１，図２に示したとおり、本体ケース３４は一部に凹部５９をもつ容器であり、センサ分与のための本体ケース３４とバイオセンサカートリッジ３８とは、互いにラッチ５８によって嵌合することにより略直方体となるように、相補的な形状を有している。また本体ケース３４の凹部には、バイオセンサカートリッジ３８の内部に装填されたバイオセンサ４６を順送するためのセンサ供給ローラ１０３，センサ回収ローラ１１５を駆動するための駆動ローラ１０５ａ，１０５ｂが延伸しており、本体ケース３４の凹部５９の内部に突き出したラッチ５８によりバイオセンサカートリッジ３８との密接な係合関係が保たれる。
【００６０】
次に、上記バイオセンサカートリッジ３８をバイオセンサ分与装置３０に装填するときの動作について説明する。
血液などの生体試料を使って血中グルコースを試験するために、センサ分与装置３０を人が使用するには、センサ分与装置３０の一部に形成された凹部５９は、開放される結果、本体ケース３４の一部を形成するようにバイオセンサカートリッジ３８を装着できることが必要となる。図１に示すように、バイオセンサカートリッジ３８の試験端４４を手前にして、バイオセンサ分与装置３０の凹部５９に装填する。このとき、凹部５９に設けられている電極アーム１１７はバイオセンサカートリッジ３８の電極アーム導入窓１２３に入り、また駆動ローラ１０５ａと駆動ローラ１０５ｂはそれぞれバイオセンサカートリッジのセンサ供給ローラ１０３とセンサ回収ローラ１１５の中心の空き部分に装着される。バイオセンサカートリッジ３８を装着した後、バイオセンサ分与装置３０の凹部５９に隣接する部分に備えられている、凹部５９の内部に突き出すラッチ５８を突き出し（ロックし）、バイオセンサカートリッジ３８を、当該バイオセンサカートリッジ３８に設けられているラッチ凹部９７を介して相補的に、バイオセンサ分与装置３０に固定・嵌合する。バイオセンサカートリッジ３８をこのように設置し、ラッチ５８をラッチ凹部９７内に係合することによって、本体ケース３４に留めることができる。また、センサ分与装置３０では、ラッチ５８を、本体ケース３４の凹部５９内にバイオセンサカートリッジ３８を留める位置から移動させることで開放される。ラッチ５８をそのように解放することによって、本体ケース３４からバイオセンサカートリッジ３８を除去し、かつ新たなバイオセンサカートリッジ３８を本体ケース３４に装着することができる。
【００６１】
作動アクチュエータ４０によりバイオセンサ４６を試験端４４に移動したならば、センサ分与装置３０が、その表示モードへと賦活されるようにセットされる。加えて、作動アクチュエータ４０の操作は、表示画面５２を、本体ケース３４の上方から視認することを妨げることはない。バイオセンサカートリッジ３８と、実施された試験とに関する情報は、液晶ディスプレイユニットなどの表示画面５２に表示することができる。表示される情報は、本体ケース３４の後端４２から突出するボタン８２及び８４（図６参照）の作動によって制御することができる。これらのボタンは、液晶ディスプレイユニット５２の表示に従って、本体ケース３０内のプリント配線基板（図示せず）上の回路（図示せず）に情報を入力するためにも用いられる。
【００６２】
センサ分与装置３０の使用者が、情報の取得又はデータの入力を完了したとき、作動アクチュエータ４０を操作することによって、バイオセンサ４６を試験端４４から回収経路側へ送る。次いで、センサ分与装置３０は、オフ又は待機状態になる。
【００６３】
次に、上記のようにバイオセンサカートリッジ３８が装填されたバイオセンサ分与装置３０の使用方法について説明する。
センサ分与装置３０の主要な用途は、血中グルコース試験に関する。そのような試験を実施しようとするときは、センサ分与装置３０の使用者が、作動アクチュエータ４０を試験端４４側へと回動操作することで、装置３０は試験モードに設定される。
【００６４】
バイオセンサカートリッジ３８をバイオセンサ分与装置３０に装填し、準備が整ったら、バイオセンサ分与装置３０の本体ケース３４の側面部に、凹部５９に隣接する位置に配置されている作動アクチュエータ４０を、本体ケース３４の前端又は試験端４４側に作動あるいは回動する。
【００６５】
作動アクチュエータ４０をその作動方向へと操作することで、分与装置３０は、試験モードに設定される。また、この操作によりバイオセンサカートリッジ３８が送出され、バイオセンサカートリッジ３８内に縦列に配置された複数のバイオセンサ４６（図３参照）の一つの生体試料の点着部１００が、バイオセンサカートリッジ３８のバイオセンサ突出し窓１１９の位置において突出しピン４８により突き出される。また、試験端４４に到達したバイオセンサ４６は、その基底部分５６がバイオセンサカートリッジ３８の試験端４４に形成されたバイオセンサ突出し窓１１９から突き出す位置で突出しピン４８の送りを止める。突き出したバイオセンサ４６が、試験端４４においてバイオセンサ突出し窓１１９から突き出した状態で留まると、バイオセンサ４６のセンサ電極部１０９は、電極アーム１１７を介して本体ケース３４内に配置されたプリント配線基板（図示せず）の電子回路に電気的に結合する。
【００６６】
この動作をより詳しく述べると以下のようになる。即ち、作動アクチュエータ４０をその操作方向へと操作すると、図示しないギアなどの駆動機構により、駆動ローラ１０５ａと駆動ローラ１０５ｂとが回転し、それによってバイオセンサカートリッジのセンサ供給ローラ１０３とセンサ回収ローラ１１５が駆動され、バイオセンサカートリッジ内に縦列に配置されたバイオセンサテープ（複数のバイオセンサ４６）が順送される。その中の１つのバイオセンサ４６がバイオセンサ突き出し窓１１９に相当する位置付近まで順送されると、表示画面５２は表示モードへと賦活される。その後使用者が、バイオセンサ分与装置３０の凹部５９と隣接する位置に設けられている突き出しピン駆動部材４７を凹部５９の方向へスライドさせると、センサカートリッジ３８の突出しピン４８は軸方向に動き、バイオセンサシート６１のＵ字型の切り欠きのところを通り、バイオセンサ４６の基底部分５６を押し上げて窓１１９へ突き出す。バイオセンサ４６の測定部端はその突き出しピン４８により、突き出し窓１１９から突出し、開閉蓋１２１をくぐった状態で、突き出しピン４８の送りを止める。その状態において、バイオセンサ４６のセンサ電極部１０９は、分与装置３０の電極アーム１１７を介して、本体ケース３４内に配置されたプリント基板（図示せず）上の電子回路（図示せず）と電気的に結合する。また、プリント基板の電子回路は、血中グルコース試験操作の際に生成されたデータを処理、記憶したり表示画面５２に表示するための、マイクロプロセッサなどを有しても良い。
【００６７】
バイオセンサ４６の試料点着部１００には生物学的感知材料又は試薬材料へと延びている毛細管（図示せず）が設けられている。
バイオセンサ４６の点着部１００に生体溶液（例えば、人の指を穿刺した後で指に蓄積される血液）を付与したとき、溶液の一部は毛管作用によって毛細管に吸い込まれるため、試験をするのに充分な量の溶液がバイオセンサ４６に吸い込まれて拡散してゆき、バイオセンサ４６の試薬材料と化学的に反応する。その結果、試験しようとする溶液成分、例えば、血液の血中グルコースレベルを示す電気信号が、プリント配線基板の電気回路に結合させた電極アーム１１７の電極接点９６に与えられる。また、所定の処理を経て、バイオセンサカートリッジ３８と実施された試験とに関する情報は表示画面５２により表示される。表示される情報は、図６に示す本体ケース３４の後端４２から突出するボタン（入力手段）８２及び８４の作動によって制御することもできる。このボタンは、前述したように、表示画面５２の表示に従って、プリント配線基板（図示せず）上の回路（図示せず）に情報を入力することも可能である。
【００６８】
また、前述したとおり、作動アクチュエータ４０は、本体ケース３４の側面に取り付けられ、図１及び図２に示したように回動或いはスライドさせることができるが、作動アクチュエータ４０を試験端４４側へと回動する操作を行うに際して、本体ケース３４の表示画面５２の視認性が妨げられることはない。
【００６９】
血液分析試験が完了したならば、作動アクチュエータ４０を、本体ケース３４の試験端４４側あるいは後端４２側へと手動で操作することで、バイオセンサ４６は、バイオセンサカートリッジ３８の試験端４４から退避し、バイオセンサカートリッジ３８のバイオセンサ突出し窓１１９から退避しながら、センサ回収室１０２へ収納される。
【００７０】
つぎに、所定の測定操作を終えた後、バイオセンサ分与装置３０側にある突出しピン駆動部材４７の付勢を解除することで、バイオセンサカートリッジ３８内に設けられた突出しピン４８を、バイオセンサ突出し窓１１９から後退させることで、バイオセンサ４６の点着部１００もバイオセンサカートリッジ３８内へ収納されることになる。
【００７１】
この後、バイオセンサカートリッジ３８内に配置されたバイオセンサ４６に関しては、それぞれバイオセンサシート６１の端部がバイオセンサ４６の回収される経路へ導かれて、センサ回収室１０２内にあるセンサ回収ローラ１１５に巻きつけられる。
【００７２】
より具体的には、生体溶液分析試験の所定の測定操作を終えた後、バイオセンサ分与装置３０側にある突出しピン駆動部材４７の付勢を解除することで、バイオセンサカートリッジ３８内に設けられた突出しピン４８はバイオセンサ突出し窓１１９から後退し、バイオセンサ４６の点着部１００はバイオセンサカートリッジ３８内へ収納されることになる。
【００７３】
即ち、作動アクチュエータ４０を、本体ケース３４の試験端４４及び／又は後端４２側へと手動で操作すると、バイオセンサシート６１が回収される経路へ導かれて順送され、バイオセンサ４６は、センサの基底部５６が突き出しピン４８及び開閉蓋１２１と接しながら次第に回収室側１０２側へ引き込まれ、そして、突き出しピン４８の付勢が完全に解除されることにより、バイオセンサ４６は、完全にバイオセンサ突出し窓１１９から退避し、センサ回収室１０２へ入り、続いて開閉蓋１２１が閉じることになる。
【００７４】
そして、バイオセンサカートリッジ３８中に引き込まれ回収された使用済みのバイオセンサに付着している生体溶液は、バイオセンサカートリッジ３８の回収室内に備えていた吸収ローラ１１１によって吸収され、あるいは他の衛生処理が施される。その後、バイオセンサ４６はバイオセンサシート６１と共にセンサ回収ローラ１１５上に巻きつけられる。次いで、バイオセンサ分与装置３０は、オフ又は待機の状態にあることになる。
【００７５】
上記の一連動作において、血液などの生体試料が付着している点着箇所と接触することでバイオセンサ分与装置３０の電極アーム１１７の接点９６との接触不良を発生させないように、バイオセンサ４６の点着部１００は、図３（ｃ）に示すように、点着部１００をまたぐように構成された電極アーム１１７の接点９６の間を通過しながら、センサ回収室１０２へ案内される。つまり、図中の寸法ｃを寸法ａより大きくし、また寸法ｂと寸法ｃをほぼ等しくすることで、電極接点部９６に血液などが付着せず、バイオセンサ４６と電極アームの接点９６との接触部の信頼性が確保されることになる。
【００７６】
以上をもって、１つのバイオセンサ４６についての一連の操作は完了する。
【００７７】
これら一連の操作を各バイオセンサ毎に繰り返すことによって、バイオセンサカートリッジ３８内に収納されている複数のバイオセンサ４６によって連続的に測定を実施することができる。
【００７８】
次に、バイオセンサカートリッジ３８をバイオセンサ分与装置３０から取り外すときの動作について説明する。
すべてのバイオセンサの測定が完了したとき、もしくは測定を終わらせたいときに、バイオセンサカートリッジ３８をバイオセンサ分与装置３０から取り外すことができる。
【００７９】
それは、本体ケース３４に設けられた突き出しラッチ５８を解放することによって、本体ケース３４からバイオセンサカートリッジ３８を簡単に除去し、かつ新たなバイオセンサカートリッジ３８を本体ケース３４に位置させることができる。
【００８０】
バイオセンサ分与装置３０は使用者が容易に携帯し取扱いできるために、その大きさが比較的コンパクトであることを必要とするが、その中に配置されたバイオセンサカートリッジ３８を前進（回転）させ、個別化された一つのバイオセンサ４６を、バイオセンサカートリッジ３８の収納位置から放出し、そして放出されたバイオセンサ４６を試験位置へと移動し、後に測定済みのバイオセンサをバイオセンサカートリッジ３８内に回収するのに要する機械的要素を内包する必要もある。加えて、バイオセンサ分与装置３０は、プリント配線基板上にマイクロプロセッサやその他のデータ処理回路４９を設けて、試験操作の際にバイオセンサ４６が発生するデータを取得し、かつ、実施されている試験に関する情報を与えるために、手動ボタン８２及び８４からの入力をも処理し、そして蓄積された情報を表示画面５２に与えたり、蓄積された情報を、図６のデータポートコネクタ（出力手段）８６を介してその他の分析用又はコンピュータ機器に与える必要もある。本実施の形態１では、このような考慮を踏まえて前記バイオセンサ分与装置を構成した。
【００８１】
このように、本発明の実施の形態１によるバイオセンサ、バイオセンサカートリッジ、及びバイオセンサ分与装置によれば、複数個のバイオセンサセンサを有するバイオセンサテープをバイオセンサカートリッジに収納し、それをバイオセンサ分与装置に装填することによって、従来のバイオセンサを測定装置本体へ挿入する際の煩わしさを軽減でき、バイオセンサを用いた複数回の測定を連続的に、かつ簡単に行うことができる。また、使用済みのバイオセンサはバイオセンサカートリッジ内部で確実に回収されるため、従来のように操作者が血液などの生体試料により手を汚すなど、衛生面での余計な心配を軽減することもできる。
【００８２】
なお、既に述べたように、バイオセンサ分与装置３０は、血中グルコース以外の流体を試験するのにも用い得るものであり、試薬材料を用いて分析できるいかなる種類の化学的流体の測定に関連しても、用いることができる。
【００８３】
【発明の効果】
以上のように、本発明の請求項１に記載のバイオセンサシートによれば、試料の電気的データを取得するバイオセンサを複数配列形成してなるバイオセンサシートであって、該バイオセンサの試料点着部から電極部付近までの基底は、Ｕ字型の切り欠きを持ち、舌片となって、前記基底バイオセンサシートに対し折上げもしくは折下げ可能である、ようにしたので、個々のバイオセンサをシートから切り離さなくても、その測定部が突出でき、その他のバイオセンサに影響を与えずに測定を実施でき、測定装置に装着され測定を行う際、連続的に複数回の測定が可能になるという効果がある。
【００８４】
また、本発明の請求項２に記載のバイオセンサシートによれば、請求項１に記載のバイオセンサシートにおいて、前記複数個のバイオセンサが形成された基底バイオセンサシートの形状はテープ状である、ようにしたので、バイオセンサの外周部の一部がテープ状センサのベースフィルムと連結された状態であるため、個々のバイオセンサが脱落することを防ぐことができるという効果がある。
【００８５】
また、本発明の請求項３に記載のバイオセンサカートリッジによれば、請求項２に記載のバイオセンサシートを収納するバイオセンサカートリッジであって、筐体内に、前記バイオセンサシートが収納され、当該筐体がバイオセンサ分与装置に装填され、目的の試料測定を行う際、該バイオセンサ分与装置の操作により、各バイオセンサの分与，測定が可能となる、ようにしたので、生体試料からの生体成分の複数回の測定を簡便容易にかつ、連続的に行うことができるという効果がある。
【００８６】
また、本発明の請求項４に記載のバイオセンサカートリッジによれば、請求項３に記載のバイオセンサカートリッジにおいて、使用前の前記バイオセンサシートが巻き付けられ該バイオセンサシートに形成された各バイオセンサを測定時に順次供給するためのバイオセンサ供給ローラと、前記バイオセンサシートを巻き取り使用済みの各バイオセンサを順次回収するための巻取りローラと、前記バイオセンサ供給ローラを収容するバイオセンサ供給室と、前記巻取りローラを収容するバイオセンサ回収室と、を備えるようにしたので、バイオセンサを順次送出し、連続測定が可能となり、かつ、巻き取ることができるため、使用済みのセンサを清潔に回収できるという効果がある。
【００８７】
また、本発明の請求項５に記載のバイオセンサカートリッジによれば、請求項４に記載のバイオセンサカートリッジにおいて、前記バイオセンサ供給室は、乾燥剤が内蔵されている、ようにしたので、バイオセンサに使用される試薬物質の特性劣化を防止し、性能の維持保証ができるという効果がある。
【００８８】
また、本発明の請求項６に記載のバイオセンサカートリッジによれば、請求項４に記載のバイオセンサカートリッジにおいて、前記バイオセンサ供給室は、外気との連通を抑えるための封止部材を備えるようにしたので、バイオセンサを密閉の状態にし、外気への暴露を防ぐことで、バイオセンサに使用される試薬物質の特性劣化を防止できるという効果がある。
【００８９】
また、本発明の請求項７に記載のバイオセンサカートリッジによれば、請求項６に記載のバイオセンサカートリッジにおいて、前記封止部材は、封止ローラである、ようにしたので、バイオセンサを密閉の状態にし、外気への暴露を防ぐことで、バイオセンサに使用される試薬物質の特性劣化を防止できるという効果がある。
【００９０】
また、本発明の請求項８に記載のバイオセンサカートリッジによれば、請求項６に記載のバイオセンサカートリッジにおいて、前記封止部材は、封止ブレードである、ようにしたので、バイオセンサを密閉の状態にし、外気への暴露を防ぐことで、バイオセンサに使用される試薬物質の特性劣化を防止できるという効果がある。
【００９１】
また、本発明の請求項９に記載のバイオセンサカートリッジによれば、請求項４に記載のバイオセンサカートリッジにおいて、前記バイオセンサ回収室は、使用済みのバイオセンサに付着している試料溶液を拭き取る吸収ローラを備えるようにしたので、バイオセンサをより衛生的に扱うことができるという効果がある。
【００９２】
また、本発明の請求項１０に記載のバイオセンサカートリッジによれば、請求項３に記載のバイオセンサカートリッジにおいて、前記バイオセンサシートは、その長手方向に搬送される、ようにしたので、テープ状の形態のバイオセンサが順次送出され、連続的に複数回の測定が可能となるという効果がある。
【００９３】
また、本発明の請求項１１に記載のバイオセンサカートリッジによれば、請求項３に記載のバイオセンサカートリッジにおいて、前記筐体内で、前記各バイオセンサの先端部がバイオセンサの送り方向に対して全て上流側を向くように配設するようにしたので、測定後にバイオセンサの測定部が測定装置の部材にひっかかるのを防ぎ、測定者に対して生体試料が付着したり、回収動作を妨げるのを防ぐことができるという効果がある。
【００９４】
また、本発明の請求項１２に記載のバイオセンサカートリッジによれば、請求項３に記載のバイオセンサカートリッジにおいて、前記筐体の一部に窓を設け、前記テープ状に配列されたバイオセンサの先端部のセンサ測定部を当該窓から該バイオセンサカートリッジの外側へ突出させることを可能とする、ようにしたので、テープ状の形態のバイオセンサが順次送出される際、その測定部がカートリッジの外部に突出することによって、試薬の点着、及びバイオセンサの電極と測定器の電極との接続が可能になるという効果がある。
【００９５】
また、本発明の請求項１３に記載のバイオセンサカートリッジによれば、請求項３に記載のバイオセンサカートリッジにおいて、前記バイオセンサシートの各バイオセンサのセンサ測定部を当該バイオセンサカートリッジの外側へ突出させるためのスライド部材を備えるようにしたので、測定を行う際、バイオセンサの測定部をカートリッジの外部に突出させることによって、試薬の点着、バイオセンサの電極と測定器の電極との接続を確実に行えるという効果がある。
【００９６】
また、本発明の請求項１４に記載のバイオセンサカートリッジによれば、請求項１２に記載のバイオセンサカートリッジにおいて、前記窓に、開閉蓋を設けるようにしたので、測定をしないとき、バイオセンサカートリッジの内部を外気や汚れから守るという効果がある。
【００９７】
また、本発明の請求項１５に記載のバイオセンサカートリッジによれば、請求項３に記載のバイオセンサカートリッジにおいて、前記バイオセンサ分与装置と係合するためのラッチを設けるようにしたので、測定装置との装着をより確実にできるという効果がある。
【００９８】
また、本発明の請求項１６に記載のバイオセンサカートリッジによれば、請求項４に記載のバイオセンサカートリッジにおいて、前記バイオセンサ供給ローラと、前記巻取りローラとは、それぞれの回転軸に対して滑りクラッチをもつ、ようにしたので、巻取り時のバイオセンサの使用量によって、バイオセンサの巻き径が変化することによるバイオセンサの送り量の変化を吸収できという効果がある。
【００９９】
また、本発明の請求項１７に記載のバイオセンサカートリッジによれば、請求項３に記載のバイオセンサカートリッジにおいて、前記バイオセンサ分与装置の電極アームを導入する電極アーム導入窓を設けるようにしたので、バイオセンサの電極と分与装置の電極との接続を可能にし、電気的なデータを得ることができるという効果がある。
【０１００】
また、本発明の請求項１８に記載のバイオセンサ分与装置によれば、請求項３に記載のバイオセンサカートリッジを測定位置にセットし、各バイオセンサを分与して目的の溶液成分測定を複数回連続的に行える、バイオセンサ分与装置であって、前記バイオセンサカートリッジ内のバイオセンサシートを搬送するバイオセンサ搬送手段と、前記バイオセンサシートのバイオセンサの測定部を各測定部毎に搬送経路上から所定の測定位置に搬出する搬出手段と、前記バイオセンサの電極部と接続される電極接点を有する電極アームと、を備え、前記搬送手段により長手方向へ順送されたバイオセンサの各測定部は、前記搬出手段により所定の測定位置に搬出された状態で、試料の点着を行い、各測定部毎にその電極部と前記電極アームの電極接点とを接続させることにより、各バイオセンサからの電気的データを得るようにしたので、生体試料の特定成分の複数回の測定を簡便容易に、連続的に行うことができ、しかも、バイオセンサの回収も容易かつ衛生的に行うことができるという効果がある。
【０１０１】
また、本発明の請求項１９に記載のバイオセンサ分与装置によれば、請求項１８に記載のバイオセンサ分与装置において、前記バイオセンサ搬送手段は、手動のダイアルである、ものとしたので、バイオセンサカートリッジの中に収納されているバイオセンサを繰り返し送出することができるという効果がある。
【０１０２】
また、本発明の請求項２０に記載のバイオセンサ分与装置によれば、請求項１８に記載のバイオセンサ分与装置において、前記バイオセンサ搬送手段は、該バイオセンサ分与装置の本体の一側面に配置するようにしたので、使用者が手動操作を行うことで手で測定装置本体の前面が覆われてしまったり、センサの送出動作に支障をきたすことを防ぐことができ、また、表裏の区別なく測定値の表示手段を設けることが可能な配置構造にできるという効果がある。
【０１０３】
また、本発明の請求項２１に記載のバイオセンサ分与装置によれば、請求項１８に記載のバイオセンサ分与装置において、前記バイオセンサカートリッジが装填されるための凹部を備えるようにしたので、バイオセンサカートリッジを安定的、かつ、確実に装填することができるという効果がある。
【０１０４】
また、本発明の請求項２２に記載のバイオセンサ分与装置によれば、請求項１８に記載のバイオセンサ分与装置において、前記バイオセンサカートリッジと係合するためのラッチを備えるようにしたので、バイオセンサカートリッジの装填をより確実に行うことができるという効果がある。
【０１０５】
また、本発明の請求項２３に記載のバイオセンサ分与装置によれば、請求項１８に記載のバイオセンサ分与装置において、前記搬出手段は、前記バイオセンサカートリッジのスライド部材をスライドさせる突出駆動部材である、ものとしたので、分与装置により、個々のバイオセンサを操作，コントロールでき、バイオセンサの測定を簡単かつ確実に行えるという効果がある。
【０１０６】
また、本発明の請求項２４に記載のバイオセンサ分与装置によれば、請求項１８に記載のバイオセンサ分与装置において、前記バイオセンサカートリッジの供給ローラおよび回収ローラをそれぞれ駆動する駆動ローラを備えるようにしたので、測定装置の側の操作でバイオセンサテープを送出できるという効果がある。
【０１０７】
また、本発明の請求項２５に記載のバイオセンサ分与装置によれば、請求項１８に記載のバイオセンサ分与装置において、前記バイオセンサの測定結果の表示を行う表示部を備えるようにしたので、測定結果を迅速に確認できるという効果がある。
【０１０８】
また、本発明の請求項２６に記載のバイオセンサ分与装置によれば、請求項１８に記載のバイオセンサ分与装置において、該バイオセンサ分与装置の制御を行い、または、該バイオセンサ分与装置に情報を入力するための入力手段を備えるようにしたので、測定分析のための情報を提供でき、正確な測定結果を得られるようにコントロールできるという効果がある。
【０１０９】
また、本発明の請求項２７に記載のバイオセンサ分与装置によれば、請求項１８に記載のバイオセンサ分与装置において、該バイオセンサ分与装置に蓄積された情報を外部に出力するための出力手段を備えるようにしたので、測定結果の蓄積や、更なる分析が可能になるという効果がある。
【図面の簡単な説明】
【図１】本発明の実施の形態１によるバイオセンサ分与装置及びバイオセンサカートリッジの外観斜視図である。
【図２】本発明の実施の形態１によるバイオセンサカートリッジの断面模式図であり、図２（ａ）はバイオセンサカートリッジの断面模式図、図２（ｂ）はバイオセンサカートリッジのバイオセンサの測定部が突出した状態の断面模式図である。
【図３】本発明の実施の形態１によるバイオセンサの外観斜視図であり、図３（ａ）はバイオセンサ部の外観斜視図、図３（ｂ）はバイオセンサの断面模式図、図３（ｃ）はバイオセンサの電極接点部とカートリッジ側の電極アーム部との相対的な位置関係を示す模式図である。
【図４】従来のバイオセンサ分与装置の外観斜視図である。
【図５】従来のバイオセンサ分与装置及びバイオセンサパックの外観斜視図である。
【図６】本発明の実施の形態１によるバイオセンサ分与装置を後端側から見た正面図である。
【符号の説明】
３０  バイオセンサ分与装置
３４  本体ケース
３５  上側ケース
３６  下側ケース
３８  バイオセンサカートリッジ
４０  作動アクチュエータ
４２  後端
４３  上部ケースの後端
４４  試験端
４６  バイオセンサ
４７  突出しピン駆動部材
４８  突出しピン
５２  表示画面
５５  切り欠き部
５６  センサの基底部分
５８  ラッチ
５９  本体ケース前端の凹部
６０  酵素反応部
６１  バイオセンサシート
６３  電極パターン部
８２，８４  ボタン
８６  データポートコネクタ
９６  電極アームの接点
９７  ラッチ凹部
９８  センサ供給室
１００  点着部
１０２  センサ回収室
１０３  センサ供給ローラ
１０５ａ、１０５ｂ  駆動ローラ
１０９  センサ電極部
１１０  カートリッジケース
１１１  吸収ローラ
１１２  乾燥剤
１１３  電極接点部
１１４  バイオセンサテープ
１１５  センサ回収ローラ
１１６  封止ブレード
１１７  電極アーム
１１８  封止ローラ
１１９  バイオセンサ突出し窓
１２０  バイオセンサパック
１２１  開閉蓋
１２２  付勢手段
１２３  電極アーム導入窓
１３０  校正コード化ラベル
１３１  内部導電性トレース
１３２  指示矢印
【図１】
0004618953.tif 000002
【図２】
0004618953.tif 000003
【図３】
0004618953.tif 000004
【図４】
0004618953.tif 000005
【図５】
0004618953.tif 000006
【図６】
0004618953.tif 000007